(57)【要約】【課題】手動で不可視光照射装置を操作したり、撮影装置の持ち込みを禁止したりすることなく、撮影の許可状況の異なる表示内容を時間的に連続して表示し、かつ撮影の許可状況に応じて撮影を防止できるようにする。【解決手段】データからセキュリティ情報を抽出する情報抽出手段と、画像表示面に不可視光を照射する光照射手段と、前記データに応じて前記画像表示面に画像を表示する表示手段と、前記情報抽出手段から受け取る前記セキュリティ情報に応じて前記光照射手段を制御する制御手段と、を有し、前記セキュリティ情報は前記画像の全ての領域または一部の領域の撮影の許可または不許可を示し、前記制御手段は、前記セキュリティ情報が撮影の不許可を示す領域に前記不可視光を照射するように前記光照射手段を制御する。【選択図】図１
2015159489.tif 000002
【特許請求の範囲】
【請求項１】
データからセキュリティ情報を抽出する情報抽出手段と、
画像表示面に不可視光を照射する光照射手段と、
前記データに応じて前記画像表示面に画像を表示する表示手段と、
前記情報抽出手段から受け取る前記セキュリティ情報に応じて前記光照射手段を制御する制御手段と、を有し、
前記セキュリティ情報は前記画像の全ての領域または一部の領域の撮影の許可または不許可を示し、
前記制御手段は、前記セキュリティ情報が撮影の不許可を示す領域に前記不可視光を照射するように前記光照射手段を制御する、
ことを特徴とする画像表示システム。
【請求項２】
前記制御手段は、前記セキュリティ情報が少なくとも一部の領域で撮影の不許可を示す時は、前記光照射手段が照射する間に前記画像を表示するように前記光照射手段と前記表示手段を制御する、
ことを特徴とする請求項１に記載の画像表示システム。
【請求項３】
前記制御手段は、異なる画像を続けて表示する時は、先に表示する画像と後に表示する画像の何れか一方、または両方が撮影を不許可とする領域へ前記不可視光を照射する期間を設け、その間に、表示する画像を先の画像から後の画像へ変更するように前記光照射手段と前記表示手段を制御する、
ことを特徴とする請求項１または２に記載の画像表示システム。
【請求項４】
前記制御手段は、前記画像の表示、前記不可視光の照射の順に停止するように前記光照射手段と前記表示手段を制御する、
ことを特徴とする請求項１〜３の何れか１項に記載の画像表示システム。
【請求項５】
前記情報抽出手段は、前記データから生成する画像に含まれる文字またはパターンを探索して前記セキュリティ情報を抽出する、
ことを特徴とする請求項１〜４の何れか１項に記載の画像表示システム。
【請求項６】
前記情報抽出手段は、前記データに含まれるメタデータから前記セキュリティ情報を抽出する、
ことを特徴とする請求項１〜４の何れか１項に記載の画像表示システム。
【請求項７】
画像表示面に不可視光を照射する光照射手段と、
データに応じて画像を出力する画像出力手段と、
前記データからセキュリティ情報を抽出して、前記セキュリティ情報に応じて前記光照射手段を制御する制御手段とを有し、
前記セキュリティ情報は前記画像の全ての領域または一部の領域の撮影の許可または不許可を示し、
前記制御手段は、前記セキュリティ情報が撮影の不許可を示す領域に前記不可視光を照射するように前記光照射手段を制御する、
ことを特徴とする画像表示システム。
【請求項８】
前記制御手段は、前記セキュリティ情報が少なくとも一部の領域で撮影の不許可を示す時は、前記光照射手段が照射する間に前記画像を出力するように前記光照射手段と前記画像出力手段を制御する、
ことを特徴とする請求項７に記載の画像表示システム。
【請求項９】
前記制御手段は、異なる画像を続けて出力する時は、先に出力する画像と後に出力する画像の何れか一方、または両方が撮影を不許可とする領域へ前記不可視光を照射する期間を設け、その間に、出力する画像を先の画像から後の画像へ変更するように前記光照射手段と前記画像出力手段を制御する、
ことを特徴とする請求項７または８に記載の画像表示システム。
【請求項１０】
前記制御手段は、前記画像の出力、前記不可視光の照射の順に停止するように前記光照射手段と前記画像出力手段を制御する、
ことを特徴とする請求項７〜９の何れか１項に記載の画像表示システム。
【請求項１１】
前記制御手段は、前記データから生成する画像に含まれる文字またはパターンを探索して前記セキュリティ情報を抽出する、
ことを特徴とする請求項７〜１０の何れか１項に記載の画像表示システム。
【請求項１２】
前記制御手段は、前記データに含まれるメタデータから前記セキュリティ情報を抽出する、
ことを特徴とする請求項７〜１０の何れか１項に記載の画像表示システム。
【請求項１３】
データからセキュリティ情報を抽出する情報抽出工程と、
画像表示面に不可視光を照射する光照射工程と、
前記データに応じて前記画像表示面に画像を表示する表示工程と、
前記情報抽出工程から受け取る前記セキュリティ情報に応じて前記光照射工程を制御する制御工程と、を有し、
前記セキュリティ情報は前記画像の全ての領域または一部の領域の撮影の許可または不許可を示し、
前記制御工程は、前記セキュリティ情報が撮影の不許可を示す領域に前記不可視光を照射するように前記光照射工程を制御する、
ことを特徴とする画像表示方法。
【請求項１４】
画像表示面に不可視光を照射する光照射工程と、
データに応じて画像を出力する画像出力工程と、
前記データからセキュリティ情報を抽出して、前記セキュリティ情報に応じて前記光照射工程を制御する制御工程とを有し、
前記セキュリティ情報は前記画像の全ての領域または一部の領域の撮影の許可または不許可を示し、
前記制御工程は、前記セキュリティ情報が撮影の不許可を示す領域に前記不可視光を照射するように前記光照射工程を制御する、
ことを特徴とする画像表示方法。
【請求項１５】
データからセキュリティ情報を抽出する情報抽出工程と、
画像表示面に不可視光を照射する光照射工程と、
前記データに応じて前記画像表示面に画像を表示する表示工程と、
前記情報抽出工程から受け取る前記セキュリティ情報に応じて前記光照射工程を制御する制御工程と、をコンピュータに実行させ、
前記セキュリティ情報は前記画像の全ての領域または一部の領域の撮影の許可または不許可を示し、
前記制御工程は、前記セキュリティ情報が撮影の不許可を示す領域に前記不可視光を照射するように前記光照射工程を制御する、
ようコンピュータを制御することを特徴とするプログラム。
【請求項１６】
画像表示面に不可視光を照射する光照射工程と、
データに応じて画像を出力する画像出力工程と、
前記データからセキュリティ情報を抽出して、前記セキュリティ情報に応じて前記光照射工程を制御する制御工程と、をコンピュータに実行させ、
前記セキュリティ情報は前記画像の全ての領域または一部の領域の撮影の許可または不許可を示し、
前記制御工程は、前記セキュリティ情報が撮影の不許可を示す領域に前記不可視光を照射するように前記光照射工程を制御する、
ようコンピュータを制御することを特徴とするプログラム。
【請求項１７】
請求項１５または１６に記載のプログラムを記憶したことを特徴とするコンピュータ読み取り可能な記憶媒体。
【発明の詳細な説明】
【技術分野】
【０００１】
本発明は画像表示システム及び画像表示方法に関し、特に、可視状態で表示される画像が許可なく撮影されるのを防止する画像表示システムに用いて好適な技術に関する。
【背景技術】
【０００２】
商品や技術などの各種セミナーや発表会などでは、プロジェクタやディスプレイなどによって画像や文字などからなる情報を表示しながらプレゼンテーションが行われることが一般化している。このプレゼンテーションの内容を聴講者が記録する一つの手段として、デジタルカメラやデジタルビデオカメラを使用する場合がある。聴講者向けの開示情報のインターネットなどを通じた無制限な頒布防止や、表示画像の著作権保護の観点から、このような撮影は問題となっている。
【０００３】
従来、映画館などで投影される著作権保護対象の画像の撮影を防止する技術として、赤外光などの不可視光を画面側から撮影者側に照射する方法が提案されている（特許文献１、特許文献２、特許文献３参照）。この撮影防止方法では、赤外光を画面背面から照射したり、画面に向けて照射して画面上で反射させたりし、デジタルカメラやデジタルビデオカメラに可視光と共に入射させる。一般的なデジタルカメラやデジタルビデオカメラに搭載されている撮像素子は赤外光に対して感度を有しており、撮影画像には赤い色でノイズが付加される。
【０００４】
さらに、特定の人や記録用機器（デジタルカメラなど）などに対して画像の撮影を許可して、それ以外に対して画像の撮影を禁止して撮影を防止する方法が提案されている（特許文献４参照）。この撮影防止方法では、前述の撮影防止方法と同様に不可視光をデジタルカメラやデジタルビデオカメラに可視光と共に入射させるが、特定の人や記録用機器などに特定のＩＤを定義する。そして、このＩＤが認識された場合に不可視光の照射を停止することで撮影を許可する。
【０００５】
さらに、許可された対象だけを撮影できるように撮影装置を制御する方法が提案されている（特許文献５参照）。
【先行技術文献】
【特許文献】
【０００６】
【特許文献１】国際公開第２０１１／００２０５９号
【特許文献２】特開２００９−２８２２７０号公報
【特許文献３】特開２００８−３００４４１号公報
【特許文献４】特開２００４−３６４２５０号公報
【特許文献５】特開２００６−４１８４１号公報
【発明の概要】
【発明が解決しようとする課題】
【０００７】
しかしながら、表示画像の効果的な撮影防止ができない場合があった。
例えば、プレゼンテーションにおいては表示内容によって撮影が許可であったり、不許可であったりして撮影の許可状況が異なるため、不可視光を照射する方法では、撮影の許可状況の変更に応じて不可視光照射装置を操作する必要がある。あるいは、不可視光照射装置の操作を省略するためにプレゼンテーション中の全期間において照射を続けてもよいが、その場合、撮影が許可されている表示内容であっても撮影することはできなくなる。
【０００８】
また撮影装置を制御する方法では、あらかじめ撮影装置に撮影不許可時に撮影を停止する制御手段を組み込んでおく必要があり、これを組み込んでいない撮影装置の持ち込みを防ぐ必要がある。
本発明は前述の問題点に鑑み、表示画像の効果的な撮影防止ができるようにすることを目的とする。
【課題を解決するための手段】
【０００９】
本発明の画像表示システムは、データからセキュリティ情報を抽出する情報抽出手段と、画像表示面に不可視光を照射する光照射手段と、前記データに応じて前記画像表示面に画像を表示する表示手段と、前記情報抽出手段から受け取る前記セキュリティ情報に応じて前記光照射手段を制御する制御手段と、を有し、前記セキュリティ情報は前記画像の全ての領域または一部の領域の撮影の許可または不許可を示し、前記制御手段は、前記セキュリティ情報が撮影の不許可を示す領域に前記不可視光を照射するように前記光照射手段を制御する、ことを特徴とする。
【発明の効果】
【００１０】
本発明によれば、表示画像の効果的な撮影防止が行えるようになる。
【図面の簡単な説明】
【００１１】
【図１】第１の実施形態に係る画像表示システムの内部構成を示すブロック図である。
【図２】第１の実施形態に係る画像表示システムの設置例を示すである。
【図３】第１の実施形態に係る画像表示システムの他の設置例を示すである。
【図４】第１の実施形態に係る画像表示システムの制御手順を説明するフローチャートである。
【図５】第１及び第２の実施形態に係る画像と撮影を不許可とする領域を示す図である。
【図６】第１及び第２の実施形態に係る画像表示面の表示状態を示す図である。
【図７】第２の実施形態に係る画像表示システムの内部構成を示すブロック図である。
【図８】第２の実施形態に係る画像表示システムの設置例を示す図である。
【図９】第２の実施形態に係る画像表示システムの制御手順を説明するフローチャートである。
【発明を実施するための形態】
【００１２】
（第１の実施形態）
以下、本発明の第１の実施形態を説明する。まず、本実施形態の画像表示システムの設置例を図２に示す。本実施形態の画像表示システムは、プロジェクタ１と赤外光照射部２からなる。
プロジェクタ１は、外部から有線または無線を介して入力される画像を、スクリーンや壁、或いはホワイトボードなどの画像表示面３に投影する。投影先のスクリーンや壁、ホワイトボードは赤外光を反射するものを選択する。
【００１３】
赤外光照射部２は、赤外ＬＥＤや赤外レーザなどで構成され、不可視光である赤外光を画像表示面３の少なくとも一部に照射する。
画像表示面３は、可視光を反射して投影された画像を表示するとともに、赤外光を反射するスクリーンである。可視光と赤外光を表面で反射するものであれば、壁やホワイトボードなどで代用することも可能である。
【００１４】
また他の設置例を図３に示す。
図３に示した画像表示システムは、画像表示面３の裏側から表面に向けて赤外光が透過する場合は、赤外光照射部２を画像表示面３の裏側に設置して不可視光である赤外光を画像表示面３の少なくとも一部に照射するようにしてもよい。
【００１５】
画像表示システムの内部構成の一例を図１に基づいて説明する。
図１は、本実施形態に係る画像表示システムの内部構成を示すブロック図である。
プロジェクタ１は、データ入力部１０１、情報抽出部１０２、メモリ１０３、投影部１０４、制御部１０５から構成される。
【００１６】
データ入力部１０１は、パーソナルコンピュータやビデオ機器などの外部機器から画像を含むデータを本実施形態の画像表示システムに入力するインタフェースである。ここでは、ＨＤＭＩ（登録商標）規格に準拠したインタフェースを用いる。
情報抽出部１０２は、当該画像の撮影の許可または不許可を示すセキュリティ情報を生成する。
【００１７】
メモリ１０３は、ＲＡＭなどで構成され、画像表示面３に投影するための画像を保持する。
投影部１０４は、画像を形成する液晶及びその駆動ドライバ、投影レンズ及びその駆動系、光源で構成される。
制御部１０５は、プロセッサであり、セキュリティ情報に応じてメモリ１０３、投影部１０４、赤外光照射部２を制御する。
【００１８】
以下、本実施形態の画像表示システムの各部の詳細動作を図４に基づいて説明する。
図４は、本実施形態に係る制御部１０５による画像表示システムの制御フローチャートである。
まず、本画像表示システムの電源が投入されて投影準備が整った後に最初にパーソナルコンピュータやビデオ機器から、次に表示するデータとして画像Ａを含むデータが入力された時の動作について説明する。
【００１９】
画像Ａを図５（Ａ）に示す。図５（Ａ）の領域６ａと領域６ｂは、画像Ａ上の撮影を不許可とする領域である。
データ入力部１０１は、外部機器とハンドシェークを行って画像を含むデータを受け取る（Ｓ４０１）。画像は静止画でも一定周期（例えば６０Ｈｚ）で更新される動画であってもどちらでもよい。受け取ったデータを順次、情報抽出部１０２へ出力する。
【００２０】
情報抽出部１０２は、画像Ａを含むデータから次画像である画像Ａ内の撮影の許可または不許可を示すセキュリティ情報を生成する（Ｓ４０２）。セキュリティ情報によって撮影を不許可とされた画像内の領域を以下、撮影不許可領域とする。
【００２１】
次画像上で撮影の不許可を示す画像パターンの探索を行って探索結果に基づいてセキュリティ情報を生成する場合は、CONFIDENCIAL（親展）などの文字や特定の絵や形状を、撮影の不許可を示す画像パターンとして予め探索用辞書に登録しておく。画像パターンは、人間の目で判別できない電子透かしでもよい。
【００２２】
また、撮影の許可または不許可を示すメタデータからセキュリティ情報を生成する場合は、データ入力部１０１が受け取る画像を含むデータに撮影の許可または不許可を示すメタデータをあらかじめ付与しておく。メタデータの付与方法の一例として、画像データの前後に付与したり、画像に電子透かしとして埋め込んだりする方法がある。
【００２３】
セキュリティ情報は、画像ごとに生成されて各画像と関連付けられる。セキュリティ情報は、例えば人の顔などの特定の形状の存在する領域や、座標で指定された領域の撮影を不許可、その他の領域の撮影を許可というように、画像を領域に区切って領域単位に定義するものである。領域単位に定義せずに画像全体に対して撮影の許可または不許可を定義するものであってもよい。
【００２４】
制御部１０５は、画像Ａのセキュリティ情報を受け取ると、そのセキュリティ情報と対応付けをされている画像を投影部１０４で投影する前に、現在の投影画像である現画像のセキュリティ情報との比較を行う（Ｓ４０３）。ここでは、画像Ａは先頭の投影画像で現画像のセキュリティ情報がないため比較結果は同一でないものとしてみなす。同一でない場合は、制御部１０５は、第１の赤外光照射命令を赤外光照射部２へ出力する（Ｓ４０５）。
【００２５】
第１の赤外光照射命令は、現画像内の撮影不許可領域と次画像内の撮影不許可領域の全体に対して、赤外光照射部２に赤外光照射を実行させる命令である。次画像内に撮影不許可領域が存在しない場合は、現画像での撮影不許可領域と変わらないため第１の赤外光照射命令の出力を省略して構わない。
【００２６】
ここでは、画像Ａは先頭の投影画像で現画像が存在しない、つまり現画像内に撮影不許可領域がないため、図５（Ａ）に示す画像Ａ内の撮影不許可領域である領域６ａと領域６ｂに対して赤外光照射部２が赤外光を照射する命令となる。この第１の赤外光照射命令による赤外光照射後の画像表示面３の表示状態を図６（Ａ）に示す。
図６（Ａ）において、７ａと７ｂは赤外光照射領域である。画像Ａの前に投影する画像が存在しないため、図６（Ａ）の画像表示面３には画像がない。
【００２７】
第１の赤外光照射命令に基づく赤外光が照射された後に、制御部１０５は、メモリ１０３から次画像である画像Ａを読み出して投影するように投影部１０４を制御する（Ｓ４０６）。画像Ａ投影後の画像表示面３の表示状態を図６（Ｂ）に示す。
図６（Ｂ）において、赤外光照射領域７ａは画像Ａの撮影不許可領域である領域６ａと、赤外光照射領域７ｂは画像Ａの撮影不許可領域である領域６ｂと重なる。
【００２８】
投影画像が更新された後に、制御部１０５は、第２の赤外光照射命令を赤外光照射部２へ出力する（Ｓ４０７）。第２の赤外光照射命令は、更新後の投影画像内の撮影不許可領域に対して赤外光照射部２に赤外光照射を実行させる命令である。この第２の赤外光照射命令による赤外光照射後の画像表示面３の表示状態は本ステップ実行前までの図６（Ｂ）と同じである。
【００２９】
更新後の投影画像内に撮影不許可領域が存在しない場合は、赤外光照射を停止する命令となる。ここでは、更新後の投影画像である画像Ａが先頭の投影画像で、第２の赤外光照射命令と第１の赤外光照射命令は同じ領域への赤外光照射を指示する命令となることから、第２の赤外光照射命令の出力を省略して構わない。
第２の赤外光照射命令の出力後に、制御部１０５は、次データがあるかどうかを判断する（Ｓ４０８）。
【００３０】
次に、画像Ａの次データとして、画像Ａと同一のデータが入力された時の動作について説明する。
次データとして画像Ａを含むデータがあるため、これを入力する（Ｓ４０１）。
次に、セキュリティ情報を生成し（Ｓ４０２）、現在の投影画像である現画像のセキュリティ情報との比較を行う（Ｓ４０３）。ここでは、現画像と次画像は共に画像Ａであり、セキュリティ情報が同一となる。
【００３１】
同一である場合は、制御部１０５は、メモリ１０３から次画像を読み出して投影するように投影部１０４を制御する（Ｓ４０４）。ここでは、赤外光照射部２の照射領域が前画像に対するものと同じであることから赤外光照射命令を出さないものとしているが、照射領域の変化の有無に関係なく、画像毎に赤外光照射命令を出力するようにしてもよい。
投影後に、制御部１０５は、次データがあるかどうかを判断する（Ｓ４０８）。
【００３２】
次に、画像Ａの次データとして画像Ｂのデータが入力された時の動作について説明する。
画像Ｂを図５（Ｂ）に示す。図５（Ｂ）の６ｃと６ｄは画像Ｂ上の撮影を不許可とする領域である。
次データとして画像Ｂを含むデータがあるため、これを入力する（Ｓ４０１）。次に、セキュリティ情報を生成し（Ｓ４０２）、現在の投影画像である現画像のセキュリティ情報との比較を行う（Ｓ４０３）。ここでは、現画像は画像Ａ、次画像は画像Ｂであり、セキュリティ情報が同一でない。
【００３３】
同一でない場合は、制御部１０５は、第１の赤外光照射命令を赤外光照射部２へ出力する（Ｓ４０５）。第１の赤外光照射命令を受けると赤外光照射部２は、現画像内の撮影不許可領域と次画像内の撮影不許可領域の全体に対して赤外光照射部２が赤外光を照射する。
【００３４】
画像Ｂが先頭の画像であると仮定した時の第１の赤外光照射命令による赤外光照射後の画像表示面３の表示状態を図６（Ｃ）に示す。
図６（Ｃ）において、７ｃと７ｄは赤外光照射領域である。赤外光照射領域７ｃは画像Ｂの撮影不許可領域である６ｃと重なり、赤外光照射領域７ｄは画像Ｂの撮影不許可領域である６ｄと重なる。
【００３５】
しかし、現画像は画像Ａであり、画像Ａ内の撮影不許可領域に対する赤外光照射を継続する必要があることから、第１の赤外光照射命令は、画像Ａ及び画像Ｂの両方に対応する赤外光照射領域を照射する命令となる。この第１の赤外光照射命令による赤外光照射後の画像表示面３の表示状態を図６（Ｄ）に示す。
【００３６】
図６（Ｄ）において、７ｅは赤外光照射領域であり、赤外光照射領域７ａ及び７ｃの和に等しい。７ｂは図６（Ｂ）、７ｄは図６（Ｃ）のものと同一の赤外光照射領域である。本ステップ実行前までの図６（Ｂ）の表示状態と比べて、投影画像は画像Ａのままであるが、赤外光照射領域は変化する。
【００３７】
第１の赤外光照射命令に基づく赤外光が照射された後に、制御部１０５は、メモリ１０３から次画像である画像Ｂを読み出して投影するように投影部１０４を制御する（Ｓ４０６）。すなわち、先に表示する画像Ａと後に表示する画像Ｂの何れか一方、または両方が撮影を不許可とする領域へ不可視光を照射する期間を設け、その間に、表示する画像を先の画像Ａから後の画像Ｂへ変更する。画像Ｂ投影後の画像表示面３の表示状態を図６（Ｅ）に示す。
図６（Ｅ）において、赤外光照射領域７ｅは画像Ｂの撮影不許可領域である６ｃと、赤外光照射領域７ｄは画像Ｂの撮影不許可領域である６ｄと重なる。本ステップ実行前の図６（Ｄ）の表示状態と比べて、赤外光照射領域は変わらないが、投影画像は画像Ｂに更新されている。
【００３８】
投影画像が更新された後に、制御部１０５は、第２の赤外光照射命令を赤外光照射部２へ出力する（Ｓ４０７）。第２の赤外光照射命令は、更新後の投影画像内の撮影不許可領域に対して赤外光照射部２に赤外光照射を実行させる命令である。この第２の赤外光照射命令による赤外光照射後の画像表示面３の表示状態を図６（Ｆ）に示す。
【００３９】
図６（Ｆ）において、赤外光照射領域７ｃは画像Ｂの撮影不許可領域である６ｃと、赤外光照射領域７ｄは画像Ｂの撮影不許可領域である６ｄと重なる。本ステップ実行前までの図６（Ｅ）の表示状態と比べて、赤外光照射領域が変化する。更新後の投影画像内に撮影不許可領域が存在しない場合は、赤外光照射を停止する命令となる。
第２の赤外光照射命令の出力後に、制御部１０５は、次データがあるかどうかを判断する（Ｓ４０８）。
【００４０】
次に、次データが存在しない時の動作について説明する。
次データが無い場合は、制御部１０５は、投影部１０４の投影動作を停止させる（Ｓ４０９）。
投影動作が停止された後、制御部１０５は、赤外光照射部２に赤外光照射停止命令を出力し、赤外光照射を停止させる（Ｓ４１０）。赤外光照射停止命令は、赤外光照射領域が存在しないものとする時の第１の赤外光照射命令及び第２の赤外光照射命令と同じ動作内容を赤外光照射部２に指示する命令である。
【００４１】
前述したように、本実施形態においては、表示内容の変更時に変更前及び変更後の画像の表示する画像の何れか一方、または両方において、撮影が不許可とされている領域へ不可視光照射を行うように制御するようにした。これにより、撮影を不許可とする領域へ不可視光照射を正確に行うことができる。
【００４２】
本実施形態では、プロジェクタ１の投影部１０４が画像表示面３に投影するものとして説明したが、プロジェクタ１をディスプレイ、投影部１０４を液晶パネルとし、画像表示面３をディスプレイの画面として、画面上に表示するものに適用してもよい。また、その他の可視画像として表示可能な装置に適用してもよい。
【００４３】
本実施形態では、赤外光照射部２が赤外光を照射するものとして説明したが、赤外光と可視光の両方を出力する光源を用いて、可視光カットフィルタを通して照射してもよい。
本実施形態では、赤外光照射部２がプロジェクタ１と別筐体であるものとして説明したが、同一筐体で構成してもよい。
【００４４】
本実施形態では、赤外光照射部２が画像表示面３の前面または裏面から赤外光を照射するものとして説明したが、撮影装置に対して入射するのであれば、赤外光照射部が側面やその他の方向から照射してもよい。
本実施形態では、不可視光として赤外光を用いたが、紫外光などその他の不可視光を用いても構わない。
【００４５】
本実施形態では、パーソナルコンピュータやビデオ機器と、本画像表示システムを接続するインタフェースとしてＨＤＭＩを用いるものとして説明したが、特定のインタフェースに限定するものではなく、他の有線やワイヤレス通信を用いてもよい。
【００４６】
本実施形態では、撮影の許可または不許可を示すメタデータを付与する場合は、画像と共に同一のインタフェースでプロジェクタ１に入力されるものとして説明したが、メタデータと画像が異なるインタフェースを用いて入力されるように構成してもよい。
【００４７】
本実施形態では、セキュリティ情報を画像の撮影の許可または不許可を示す情報として説明したが、画像の表示の許可または不許可も合わせて示し、画像の表示が不許可である場合は、画像の表示とそれに対する赤外光の照射の両方を行わないようにしてもよい。
本実施形態では、撮影不許可領域と赤外光照射領域を同一の領域として説明したが、撮影不許可領域より赤外光照射領域の方が大きい領域であってもよい。
【００４８】
（第２の実施形態）
本実施形態の画像表示システムの設置例を図８に示す。画像表示システムは、コンピュータ４とディスプレイ５、赤外光照射部２からなる。
コンピュータ４は、パーソナルコンピュータであり、プログラムを実行することによって、プログラムで規定された処理を実行可能である。プログラムが画像の生成を規定していれば画像の生成を行う。
【００４９】
ディスプレイ５は、外部から有線または無線を介して入力される画像を画像表示面３に表示する。
赤外光照射部２は、赤外ＬＥＤや赤外レーザなどで構成され、不可視光である赤外光を画像表示面３の少なくとも一部に照射する。
【００５０】
画像表示面３は、液晶パネルやブラウン管などで構成され、可視光の画像を表示する。画像表示面３表面に赤外光を反射する性質のものを使用する。または、可視光を透過し、かつ赤外光を反射するフィルタを画像表示面３前面に設置する。
【００５１】
画像表示システムの内部構成を図７に基づいて説明する。
図７は、本実施形態に係る画像表示システムの内部構成を示すブロック図である。
コンピュータ４は、データ記憶部５０１、メモリ１０３、データ出力部５０２、制御部１０５から構成される。
【００５２】
データ記憶部５０１は、ハードディスクまたはメモリなどで構成され、制御部１０５が実行するプログラムや画像ファイル、文書ファイルなどが格納される。
メモリ１０３は、ＲＡＭなどで構成され、表示するためにディスプレイ５へ出力する画像を保持する。
【００５３】
データ出力部５０２は、画像を含むデータを本画像表示システムからディスプレイ５へ出力するインタフェースである。ここでは、ＨＤＭＩ規格に準拠したインタフェースを用いてディスプレイ５へ出力する。
【００５４】
制御部１０５は、プロセッサであって、データ記憶部５０１、メモリ１０３、データ出力部５０２、赤外光照射部２を制御する。そして、データ記憶部５０１からファイルを読み出してディスプレイ５へ出力する画像と、当該画像の撮影の許可または不許可を示すセキュリティ情報を生成する。
【００５５】
以下、本実施形態の画像表示システムの各部の詳細動作を図９に基づいて説明する。図９は、本実施形態に係る制御部１０５による画像表示システムの制御フローチャートである。
まず、本画像表示システムの電源が投入されて画像Ａをディスプレイ５へ出力する時の動作について説明する。画像Ａを図５（Ａ）に示す。図５（Ａ）の６ａと６ｂは画像Ａ上の撮影を不許可とする領域である。
【００５６】
制御部１０５は、データ記憶部５０１からプログラムを読み込んで実行し、画像出力処理の開始であるかどうかを判断する（Ｓ９０１）。画像出力処理開始でない場合は、更にプログラムの実行を進めるか、新たなプログラムを読み込んで実行する。
【００５７】
画像出力処理開始である場合、制御部１０５は、出力画像を更新する必要があるかどうかを判断する（Ｓ９０２）。ここでは、現在の出力画像である現画像は存在せず、新たに次画像として画像Ａを出力することから出力画像更新が必要であると判断する。
【００５８】
出力画像の更新が必要である場合は、制御部１０５は、プログラムの実行結果に基づいて次画像である画像Ａを生成するとともに、次画像である画像Ａ内の撮影の許可または不許可を示すセキュリティ情報を生成する（Ｓ９０３）。セキュリティ情報によって撮影を不許可とされた画像内の領域を以下、撮影不許可領域とする。
【００５９】
次画像上で撮影の不許可を示す画像パターンの探索を行って探索結果に基づいてセキュリティ情報を生成する場合は、CONFIDENCIALなどの文字や特定の絵や形状を、撮影の不許可を示す画像パターンとして予め定めて探索用辞書に登録しておく。画像パターンは、人間の目で判別できない電子透かしでもよい。
【００６０】
また、撮影の許可または不許可を示すメタデータからセキュリティ情報を生成する場合は、実行中のプログラムが読み込む画像ファイルやテキストファイルに撮影の許可または不許可を示すメタデータをあらかじめ付与しておく。メタデータの付与方法の一例として、ファイルにバイナリーデータとして付与したり、画像に電子透かしとして埋め込んだりする方法がある。
【００６１】
セキュリティ情報は、画像ごとに生成されて各画像と関連付けられる。セキュリティ情報は、例えば人の顔などの特定の形状の存在する領域や、座標で指定された領域の撮影を不許可、その他の領域の撮影を許可というように、画像を領域に区切って領域単位に定義するものである。領域単位に定義せずに画像全体に対して撮影の許可または不許可を定義するものであってもよい。
【００６２】
制御部１０５は、画像Ａとそのセキュリティ情報を生成すると、画像Ａをデータ出力部５０２に出力する前に、第１の赤外光照射命令を赤外光照射部２へ出力する（Ｓ９０４）。第１の赤外光照射命令は、現画像内の撮影不許可領域と次画像内の撮影不許可領域の全体に対して赤外光照射部２に赤外光照射を実行させる命令である。
【００６３】
次画像内に撮影不許可領域が存在しない場合は、現画像での撮影不許可領域と変わらないため第１の赤外光照射命令の出力を省略して構わない。ここでは、画像Ａは先頭の出力画像で現画像が存在しない、つまり現画像内に撮影不許可領域がないため、図５（Ａ）に示す画像Ａ内の撮影不許可領域である６ａと６ｂに対して赤外光照射部２が赤外光を照射する命令となる。
【００６４】
この第１の赤外光照射命令による赤外光照射後の画像表示面３の表示状態を図６（Ａ）に示す。
図６（Ａ）において、７ａと７ｂは赤外光照射領域である。画像Ａの前に出力する画像が存在しないため、図６（Ａ）画像表示面３には画像がない。
【００６５】
第１の赤外光照射命令に基づく赤外光が照射された後に、制御部１０５は、メモリ１０３から次画像である画像Ａを読み出して出力するようにデータ出力部５０２を制御する（Ｓ９０５）。画像Ａ出力後の画像表示面３の表示状態を図６（Ｂ）に示す。
図６（Ｂ）において、赤外光照射領域７ａは画像Ａの撮影不許可領域である６ａと、赤外光照射領域７ｂは画像Ａの撮影不許可領域である６ｂと重なる。
【００６６】
出力画像が更新された後に、制御部１０５は、第２の赤外光照射命令を赤外光照射部２へ出力する（Ｓ９０６）。第２の赤外光照射命令は、更新後の出力画像内の撮影不許可領域に対して赤外光照射部２に赤外光照射を実行させる命令である。この第２の赤外光照射命令による赤外光照射後の画像表示面３の表示状態は本ステップ実行前までの図６（Ｂ）と同じである。
【００６７】
更新後の出力画像に撮影不許可領域が存在しない場合は、赤外光照射を停止する命令となる。ここでは、更新後の出力画像である画像Ａが先頭の出力画像で、第２の赤外光照射命令と第１の赤外光照射命令は同じ領域への赤外光照射を指示する命令となることから、第２の赤外光照射命令の出力を省略して構わない。第２の赤外光照射命令の出力後に、制御部１０５は、画像出力処理が終了であるかどうかを判断する（Ｓ９０７）。
【００６８】
次に、画像Ａを継続して出力する時の動作について説明する。
ステップＳ９０７で画像出力処理が終了でない場合、制御部１０５は出力画像を更新する必要があるかどうかを判断する（Ｓ９０２）。出力画像は画像Ａのままであることから、次画像の生成やセキュリティ情報生成、出力画像更新、赤外光照射命令出力を行わない。
出力画像の更新が必要ではないと判断した後に、制御部１０５は、画像出力処理が終了であるかどうかを判断する（Ｓ９０７）。
【００６９】
次に、画像Ａの次画像として画像Ｂをディスプレイ５へ出力する時の動作について説明する。画像Ｂを図５（Ｂ）に示す。図５（Ｂ）の６ｃと６ｄは画像Ｂ上の撮影を不許可とする領域である。
Ｓ９０７で画像出力処理が終了でない場合、制御部１０５は出力画像を更新する必要があるかどうかを判断する（Ｓ９０２）。次画像として画像Ｂを出力することから出力画像更新が必要であると判断する。
【００７０】
出力画像の更新が必要である場合は、制御部１０５は、プログラムの実行結果に基づいて次画像である画像Ｂを生成するとともに、次画像である画像Ｂの撮影の許可または不許可を示すセキュリティ情報を生成する（Ｓ９０３）。
【００７１】
制御部１０５は画像Ｂとそのセキュリティ情報を生成すると、画像Ｂをデータ出力部５０２に出力する前に、第１の赤外光照射命令を赤外光照射部２へ出力する（Ｓ９０４）。第１の赤外光照射命令を受けると赤外光照射部２は、現画像内の撮影不許可領域と次画像内の撮影不許可領域の全体に対して赤外光照射部２が赤外光を照射する。
【００７２】
画像Ｂが先頭の画像であると仮定した時の第１の赤外光照射命令による赤外光照射後の画像表示面３の表示状態を図６（Ｃ）に示す。
図６（Ｃ）において、７ｃと７ｄは赤外光照射領域である。赤外光照射領域７ｃは画像Ｂの撮影不許可領域である６ｃと、赤外光照射領域７ｄは画像Ｂの撮影不許可領域である６ｄと重なる。
【００７３】
しかし、現画像は画像Ａであり、画像Ａ内の撮影不許可領域に対する赤外光照射を継続する必要があることから、第１の赤外光照射命令は、画像Ａ及び画像Ｂの両方に対応する赤外光照射領域を照射する命令となる。この第１の赤外光照射命令による赤外光照射後の画像表示面３の表示状態を図６（Ｄ）に示す。
【００７４】
図６（Ｄ）において、７ｅは赤外光照射領域であり、赤外光照射領域７ａ及び７ｃの和に等しい。７ｂは図６（Ｂ）、７ｄは図６（Ｃ）のものと同一の赤外光照射領域である。本ステップ実行前までの図６（Ｂ）の表示状態と比べて、表示画像は画像Ａのままであるが、赤外光照射領域は変化する。
【００７５】
第１の赤外光照射命令に基づく赤外光が照射された後に、制御部１０５は、メモリ１０３から次画像である画像Ｂを読み出して出力するようにデータ出力部５０２を制御する（Ｓ９０５）。画像Ｂ出力後の画像表示面３の表示状態を図６（Ｅ）に示す。図６（Ｅ）において、赤外光照射領域７ｅは画像Ｂの撮影不許可領域である６ｃと、赤外光照射領域７ｄは画像Ｂの撮影不許可領域である６ｄと重なる。本ステップ実行前の図６（Ｄ）の表示状態と比べて、赤外光照射領域は変わらないが、表示画像は画像Ｂに更新されている。
【００７６】
出力画像が更新された後に、制御部１０５は、第２の赤外光照射命令を赤外光照射部２へ出力する（Ｓ９０６）。第２の赤外光照射命令は、更新後の出力画像内の撮影不許可領域に対して赤外光照射部２に赤外光照射を実行させる命令である。この第２の赤外光照射命令による赤外光照射後の画像表示面３の表示状態を図６（Ｆ）に示す。
【００７７】
図６（Ｆ）において、赤外光照射領域７ｃは画像Ｂの撮影不許可領域である６ｃと、赤外光照射領域７ｄは画像Ｂの撮影不許可領域である６ｄと重なる。本ステップ実行前までの図６（Ｅ）の表示状態と比べて、赤外光照射領域が変化する。更新後の出力画像に撮影不許可領域が存在しない場合は、赤外光照射を停止する命令となる。
第２の赤外光照射命令の出力後に、制御部１０５は、画像出力処理が終了であるかどうかを判断する（Ｓ９０７）。
【００７８】
次に、次データが存在しない時の動作について説明する。
次データが無い場合は、制御部１０５は、データ出力部５０２の出力動作を停止させる（Ｓ９０８）。
出力動作が停止された後、制御部１０５は、赤外光照射部２に赤外光照射停止命令を出力し、赤外光照射を停止させる（Ｓ９０９）。赤外光照射停止命令は、赤外光照射領域が存在しないものとする時の第１の赤外光照射命令及び第２の赤外光照射命令と同じ動作内容を赤外光照射部２に指示する命令である。
【００７９】
本実施形態では、コンピュータ４のデータ出力部５０２が出力したデータをディスプレイ５が画像表示面３に表示するものとして説明したが、ディスプレイ５をプロジェクタとし、画像表示面３をプロジェクタの投影領域として表示するものに適用してもよい。また、その他の可視画像として表示可能な装置に適用してもよい。
【００８０】
本実施形態では、赤外光照射部２が赤外光を照射するものとして説明したが、赤外光と可視光の両方を出力する光源を用いて、可視光カットフィルタを通して照射してもよい。
本実施形態では、赤外光照射部２がコンピュータ４と別筐体であるものとして説明したが、同一筐体で構成してもよい。
【００８１】
本実施形態では、赤外光照射部２が画像表示面３の前面から赤外光を照射するものとして説明したが、撮影装置に対して入射するのであれば、赤外光照射部が側面やその他の方向から照射してもよい。またディスプレイ５にフロントライトまたはバックライトが備わっている場合は、これらによって可視光とともに赤外光を照射してもよい。
【００８２】
本実施形態では、不可視光として赤外光を用いたが、紫外光などその他の不可視光を用いても構わない。
本実施形態では、セキュリティ情報を画像の撮影の許可または不許可を示す情報として説明したが、画像の出力の許可または不許可も合わせて示し、画像の出力が不許可である場合は、画像の出力とそれに対する赤外光の照射の両方を行わないようにしてもよい。
本実施形態では、撮影不許可領域と赤外光照射領域を同一の領域として説明したが、撮影不許可領域より赤外光照射領域の方が大きい領域であってもよい。
【００８３】
（その他の実施形態）
また、本発明は、以下の処理を実行することによっても実現される。即ち、前述した実施形態の機能を実現するソフトウェア（コンピュータプログラム）を、ネットワークまたは各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００８４】
１  プロジェクタ
２  赤外光照射部
３  画像表示面
４  コンピュータ
５  ディスプレイ
１０１  データ入力部
１０２  情報抽出部
１０３  メモリ
１０４  投影部
１０５  制御部
【図１】
2015159489.tif 000003
【図２】
2015159489.tif 000004
【図３】
2015159489.tif 000005
【図４】
2015159489.tif 000006
【図５】
2015159489.tif 000007
【図６】
2015159489.tif 000008
【図７】
2015159489.tif 000009
【図８】
2015159489.tif 000010
【図９】
2015159489.tif 000011